(57)【要約】【課題】色覚障害者にとって色の異なる部分を従来よりも識別し易いカラー画像を出力可能なプリンタ等の画像処理装置を提供すること。【解決手段】画像処理装置は、カラーの文字列が複数行記載される書類のデータから文字列毎に文字情報、色情報、スタイル情報を抽出し、情報テーブル１１１に登録する。情報テーブル１１１を参照し、スタイルが同一かつ色が異なる文字列があるか否かを判断する。番号２、３、５〜９の文字列が該当するものと判断されると、番号２の文字列のスタイルをノーマルからイタリックに、番号３の文字列のスタイルをノーマルからボックスにそれぞれ変更する。【選択図】図７
2007226448.tif 000002
【特許請求の範囲】
【請求項１】
入力されたカラー画像のデータに含まれる第１と第２の画像部分の色同士およびスタイル同士の同一性の有無に基づいて、スタイル変更の要否を判断する判断手段と、
変更が必要と判断された場合に、第１と第２の画像部分のスタイルが相互に異なるようにスタイルを変更する変更手段と、
スタイル変更後のカラー画像のデータを出力する出力手段と、
を備えることを特徴とする画像処理装置。
【請求項２】
前記判断手段は、
第１と第２の画像部分のスタイルが同一かつ色が異なる場合に前記変更を必要と判断することを特徴とする請求項１に記載の画像処理装置。
【請求項３】
スタイル変更後のカラー画像のデータと変更前のカラー画像のデータとを関連付けたデータを生成する生成手段を備え、
前記出力手段は、
スタイル変更後のカラー画像のデータに代えて、前記生成されたデータを出力することを特徴とする請求項１または２に記載の画像処理装置。
【請求項４】
前記変更手段は、
スタイル変更された画像部分の色をメッセージで示す情報を前記データに付加し、
前記出力手段は、
前記情報が付加されたカラー画像のデータを出力することを特徴とする請求項１乃至３のいずれか１項に記載の画像処理装置。
【請求項５】
出力されるデータを利用するユーザの指定を受け付ける受付手段を備え、
前記判断手段は、
指定されたユーザがスタイル変更の必要がないと予め決められたユーザと一致する場合には、前記同一性の有無に関わらずスタイル変更を不要と判断することを特徴とする請求項１乃至４のいずれか１項に記載の画像処理装置。
【請求項６】
出力されるデータを利用するユーザの指定を受け付ける受付手段を備え、
前記変更手段は、
指定されたユーザに対し予め決められたスタイルに変更することを特徴とする請求項１乃至４のいずれか１項に記載の画像処理装置。
【請求項７】
前記変更手段は、
第１と第２の画像部分に相互に接する部分があり、その接する部分の色の組み合わせが特定の色の組み合わせと一致する場合には、その色の組み合わせが一致しないように第１と第２の画像部分の少なくとも一方の色を変更することを特徴とする請求項１乃至６のいずれか１項に記載の画像処理装置。
【請求項８】
第２の画像部分は、第１の画像部分の背景に相当し、
前記変更手段は、第１の画像部分のスタイルを変更することを特徴とする請求項７に記載の画像処理装置。
【請求項９】
前記第１と第２の画像部分は、文字または図形を示す画像であり、前記スタイルは、文字の書体または図形の模様を示すことを特徴とする請求項１乃至８のいずれか１項に記載の画像処理装置。
【発明の詳細な説明】
【技術分野】
【０００１】
本発明は、カラー画像を処理する画像処理装置に関し、特に色覚障害を有する人にとって色の異なる部分を識別し易いカラー画像を出力する技術の改良に関する。
【背景技術】
【０００２】
近年、カラー画像を印刷可能なプリンタが増えており、このプリンタを用いて、ユーザは例えば端末装置のアプリケーションで作成したカラーの書類を忠実に印刷することができる。このようなカラー化の流れがある一方で、会社などオフィス内でプリンタを利用する多くのユーザの中には、例えば異なる色が同じに見えてしまうような色が正確に識別できないユーザ（以下、「色覚障害者」という。）が存在する場合がある。
【０００３】
色覚障害者にカラー画像を見易くできる技術として、特許文献１には、色覚障害者が識別容易であるような色の組み合わせが予め端末装置に登録されており、書類作成者は、その登録されている色の組み合わせの色のみを用いて書類を作成し、プリンタから印刷出力させることが可能な技術が開示されている。
【特許文献１】特開２００１−３３１１６４号公報
【発明の開示】
【発明が解決しようとする課題】
【０００４】
しかしながら、色覚障害者全員が同じ色覚障害を有しているとは限らないから、特許文献１の技術のように特定の色覚障害に対して有効な色の組み合わせを予め決めておいても、その組み合わせに適合しない色覚障害者に、その組み合わせに基づいて作成した印刷物が配布された場合には色の違いを認識できない場合もあり得ることになる。
書類作成者にとって、書類を黒色だけでなくカラーで作成するのは、見易さはもちろんであるが、特に重要な部分だけを目立つ色、例えば赤色にして書類を見る側のユーザに注意を引くといった意図で行われることが多い。ところが、赤色と黒色の違いを認識し難い色覚障害者には、その意図が正確に伝わらず理解することも困難である。
【０００５】
本発明は、上記の問題点に鑑みてなされたものであって、色覚障害者にとって色の異なる部分を従来よりも識別し易いカラー画像を出力可能なプリンタ等の画像処理装置を提供することを目的としている。
【課題を解決するための手段】
【０００６】
上記目的を達成するため、本発明に係る画像処理装置は、入力されたカラー画像のデータに含まれる第１と第２の画像部分の色同士およびスタイル同士の同一性の有無に基づいて、スタイル変更の要否を判断する判断手段と、変更が必要と判断された場合に、第１と第２の画像部分のスタイルが相互に異なるようにスタイルを変更する変更手段と、スタイル変更後のカラー画像のデータを出力する出力手段と、を備えることを特徴とする。
【発明の効果】
【０００７】
これにより、色の違いを認識し難いユーザであってもスタイルの違いから各画像部分を区別し易くなり、もって色の異なる画像を識別し易くなる。
また、前記判断手段は、第１と第２の画像部分のスタイルが同一かつ色が異なる場合に前記変更を必要と判断することを特徴とする。
このようにすれば、スタイルが同一で色が異なる画像について識別し易くなる。
【０００８】
さらに、スタイル変更後のカラー画像のデータと変更前のカラー画像のデータとを関連付けたデータを生成する生成手段を備え、前記出力手段は、スタイル変更後のカラー画像のデータに代えて、前記生成されたデータを出力することを特徴とする。
このようにすれば、出力されたデータを受け取ったユーザは、変更前と変更後のスタイルを対比して、どこが変更されたのかが判り、もって入力画像の作成者の意図をより理解することができる。
【０００９】
また、前記変更手段は、スタイル変更された画像部分の色をメッセージで示す情報を前記データに付加し、前記出力手段は、前記情報が付加されたカラー画像のデータを出力することを特徴とする。
このようにすれば、出力されたデータを受け取ったユーザは、当該メッセージから、どこが変更されたのかが判り、入力画像の作成者の意図をより理解することができる。
【００１０】
また、出力されるデータを利用するユーザの指定を受け付ける受付手段を備え、前記判断手段は、指定されたユーザがスタイル変更の必要がないと予め決められたユーザと一致する場合には、前記同一性の有無に関わらずスタイル変更を不要と判断することを特徴とする。
このようにすれば、スタイル変更が不要なユーザに対しスタイル変更が行われなくなり、それだけ処理負担の軽減を図れる。
【００１１】
また、出力されるデータを利用するユーザの指定を受け付ける受付手段を備え、前記変更手段は、指定されたユーザに対し予め決められたスタイルに変更することを特徴とする。
このようにすれば、ユーザ毎に変更すべきスタイルを決めることが可能になる。
さらに、前記変更手段は、第１と第２の画像部分に相互に接する部分があり、その接する部分の色の組み合わせが特定の色の組み合わせと一致する場合には、その色の組み合わせが一致しないように第１と第２の画像部分の少なくとも一方の色を変更することを特徴とする。
【００１２】
このようにすれば、各画像をより識別し易くなる。
ここで、第２の画像部分は、第１の画像部分の背景に相当し、前記変更手段は、第１の画像部分のスタイルを変更することを特徴とする。
また、前記第１と第２の画像部分は、文字または図形を示す画像であり、前記スタイルは、文字の書体または図形の模様を示すことを特徴とする。
【００１３】
このようにすれば、文字、図形画像の識別をより行い易くなる。
【発明を実施するための最良の形態】
【００１４】
以下、本発明に係る画像処理装置の実施の形態を、図面を参照しながら説明する。
（第１の実施の形態）
図１は、本実施の形態に係る画像処理装置としてのプリンタ１と端末装置２、３とが、ネットワーク、ここではLAN（Local Area Network）５を介して接続されてなるシステムを示す図である。プリンタ１と端末装置２、３とは、TCP/IP(Transmission Control Protocol/Internet Protocol)等により互いに各種データのやりとりが可能になっている。
【００１５】
プリンタ１は、端末装置２、３から印刷の指示を受け付けると、カラーで印刷を行うプリントジョブを実行する機能を有している。
端末装置２、３は、パーソナルコンピュータ（ＰＣ）からなり、文書や図形等（以下、「書類」という。）の作成のためのアプリケーションソフトウエア（以下、「アプリケーション」という。）がインストールされており、ユーザはアプリケーションを用いて書類をカラーで作成することができる。また、端末装置２、３は、ユーザから当該アプリケーションを介して書類の印刷指示を受け付けると、プリンタ１に印刷のためのデータ（以下、「プリントデータ」という。）を送信してプリントジョブを実行させる。
【００１６】
このプリントデータは、ページ記述言語（ＰＤＬ）で作成され、印刷対象とされる文書のファイル名や印刷部数等を示す情報に加えて、文字コードや文字フォントの種類、スタイル（ノーマル、ボールド、アンダーラインの付加等）、大きさ（ポイント）など文字に関する情報、図形などのグラフィクスの種類や開始、終了位置等を指定するための情報、文字や図形などの色の指定を行うための情報など、出力画像の種々の内容を指定する情報が含まれている。
【００１７】
図２は、プリンタ１の構成例を示す図である。
同図に示すように、プリンタ１は、主な構成要素として画像形成部１０、制御部２０および操作パネル３０を備えている。
操作パネル３０には、各種設定用のキーなどの他、表面にタッチパネルが積層された液晶表示部が設けられており、制御部２０の指示により必要な画面を表示させると共に、ユーザによるキー入力やタッチ入力を受付けて、受付けた情報を制御部２０に伝える。
【００１８】
制御部２０は、主な構成要素として全体制御部２１、通信インターフェース（Ｉ／Ｆ）部２２、データ解析部２３、色／スタイル情報格納部２４、スタイル変換部２５、データ生成部２６およびデータ出力部２７を備え、各部は、バス２８を介して通信を行えるようになっている。
通信Ｉ／Ｆ部２２は、ＬＡＮカード、ＬＡＮボードといったＬＡＮ５に接続するためのインターフェースである。
【００１９】
データ解析部２３は、端末装置２等から送られて来た印刷対象の書類のプリントデータを参照し、その書類に含まれる文字の色とスタイルを解析する。
色／スタイル情報格納部２４は、データ解析部２３により解析された色とスタイルを示す情報を文字と関連付けて格納する。
スタイル変更部２５は、色とスタイルの情報を参照し、複数の文字列のうち、色が異なり、かつスタイル（形体）が同じ文字列が２つ存在するか否かを判断し、存在することを判断すると、２つの文字列のうち、一方の文字列のスタイルを別のスタイルに変更する処理を行う。
【００２０】
データ生成部２６は、スタイル変更部２５によりスタイル変更がなされた後のプリントデータを、再現色、例えばシアン（Ｃ）、マゼンタ（Ｍ）、イエロー（Ｙ）およびブラック（Ｋ）色の階調データ（以下、「画像データ」という。）に変換する。
データ出力部２７は、データ生成部２６により生成された画像データを画像形成部１０に送る。
【００２１】
画像形成部１０は、公知の電子写真方式により、データ出力部２７からの画像データに基づいてＣ、Ｍ、Ｙ、Ｋ色のトナー像を感光体ドラム上に作像し、作像された各色のトナー像を記録シート上に多重転写してカラー画像を形成する。
全体制御部２１は、画像形成部１０の動作を統括的に制御し、円滑な印刷動作を実現する。また、データ解析部２３等に必要に応じて動作の指示を行い、上記の解析等の処理を実行させる。
【００２２】
次に端末装置２で作成された書類がプリンタ１において印刷される場合に実行される処理の内容を具体的に説明する。ここでは、図３に示す書類１００を印刷対象とする場合を例にする。
図３に示すように、書類１００には、文字列１０１〜１０９が記載されている。各文字列の色、スタイル、大きさは、図４に示すものになっている。文字列１０１〜１０９、その色、スタイル等の情報は、プリントデータに含まれて、端末装置２からプリンタ１に送信される。
【００２３】
図５は、プリンタ１がプリントデータを受信したときに実行する処理の内容を示すフローチャートである。この処理は、主に通信Ｉ／Ｆ部２２において行われる。
同図に示すように、外部からのプリントデータの受信の有無を判断する（ステップＳ１０１）。受信があったことを判断すると（ステップＳ１０１で「ＹＥＳ」）、プリントデータを受信する（ステップＳ１０２）。そして、受信したプリントデータをデータ解析部２３に渡して（ステップＳ１０３）、ステップＳ１０１に戻る。
【００２４】
図６は、データ解析部２３がプリントデータを受け付けたときに実行する処理の内容を示すフローチャートである。
同図に示すように、変数Ｎの値を「１」に設定する（ステップＳ１１１）。そして、プリントデータに含まれるＮ（ここでは１）番目に相当する文字列の文字を示す文字情報、文字の色を示す色情報、スタイルを示すスタイル情報を抽出する（ステップＳ１１２）。
【００２５】
ここでＮ番目に相当する文字列とは、図３に示す文書１００の上からＮ番目の文字列に相当するものとする。従って、１番目に相当する文字列の文字情報とは、図３、図４に示すように「新製品・・案内」になり、色情報が「赤（Ｒ：２５５、Ｇ：０、Ｂ：０）」色になり、スタイル情報が「ボールド」になる。
ステップＳ１１３では、抽出した情報を色／スタイル情報格納部２４に設けられた情報テーブルに登録する（書き込む）。
【００２６】
図７（ａ）は、情報テーブル１１１の内容例を示す図である。
同図に示すように、情報テーブル１１１には、番号欄、文字情報欄、色情報欄およびスタイル情報欄が設けられている。番号欄の数値は、上記Ｎの値に相当する。従って、同図に示すように、テーブル１１１の番号「１」の文字情報欄には、「新製品・・案内」という文字を示す情報が書き込まれ、色情報欄には、「赤」色を示す情報が書き込まれ、スタイル情報欄には、「ボールド」を示す情報が書き込まれることになる。
【００２７】
図６に戻って、ステップＳ１１４では、全文字列について解析が終了したか否かを判断する。この判断は、Ｎの値が文字列の数（ここでは、９個）と一致しているか否かにより行われる。ここでは、Ｎ＝１なので、まだ終了していないと判断して、現在のＮの値に「１」をインクリメントし（ステップＳ１１５）、ステップＳ１１２に戻る。
ステップＳ１１２以降では、番号２の文字列、すなわち「開催日：２０１０／１２／３１」について、文字情報、色情報、スタイル情報の抽出、情報テーブル１１１への登録が行われる。
【００２８】
ステップＳ１１４において、Ｎ＝９と判断されるまで、ステップＳ１１２〜Ｓ１１５の処理を繰り返し実行する。
ステップＳ１１４でＮ＝９と判断すると、全文字列について解析が終了したとして、スタイル変更部２５に処理を移管、すなわち処理の実行を指示して（ステップＳ１１６）、処理を終了する。この時点で、情報テーブル１１１には、図７（ａ）に示すように番号１〜９までについて文字情報等が書き込まれていることになる。
【００２９】
図８は、スタイル変更部２５が実行する処理の内容を示すフローチャートである。この処理は、スタイル変更部２５がデータ解析部２３からの処理の移管を受け付けたときに行われる。
同図に示すように、まず変数Ｐの値を「１」に設定し（ステップＳ１２１）、当該変数Ｐの値に「１」をインクリメントした値を変数Ｑとする（ステップＳ１２２）。Ｐ＝１の場合、Ｑ＝２になる。この変数Ｐ、Ｑの値は、図７（ａ）に示す情報テーブル１１１の番号欄の番号に相当するものとする。
【００３０】
そして、情報テーブル１１１を参照し、番号Ｐの文字列（第１の画像部分）のスタイルと番号Ｑの文字列（第２の画像部分）のスタイルとが同じか否かを判断する（ステップＳ１２３）。ここで、同じと判断すると（ステップＳ１２３で「ＹＥＳ」）、次に番号Ｐの文字列の色と番号Ｑの文字列の色とが同じか否かを判断する（ステップＳ１２４）。ここで同じと判断すると（ステップＳ１２４で「ＹＥＳ」）、ステップＳ１２６に移る。
【００３１】
同じではない、すなわち異なることを判断すると（ステップＳ１２４で「ＮＯ」）、番号Ｐの文字列のスタイルを変更する処理を行い（ステップＳ１２５）、ステップＳ１２６に移る。この変更の処理の具体例については後述する。
また、ステップＳ１２３で、番号Ｐの文字列と番号Ｑの文字列が同じスタイルでないと判断した場合には、ステップＳ１２６に移る。
【００３２】
Ｐ＝１、Ｑ＝２の場合には、番号１の文字列のスタイルは「ボールド」、番号２の文字列のスタイルは「ノーマル」になっているのでスタイルが同一でないと判断し、ステップＳ１２６に移る。
ステップＳ１２６では、変数Ｑの値が最終値、ここでは「９」であるか否かを判断する。ここでは、Ｑ＝２であるから、最終ではないと判断し、現在のＱの値に「１」をインクリメントして（ステップＳ１２７）、ステップＳ１２３に移る。
【００３３】
ステップＳ１２３では、Ｐ＝１、Ｑ＝３の場合について、スタイルの同一性を判断する。ここでは、同一でないと判断され、ステップＳ１２６に移る。このように変数Ｑの値を順次変えていき、Ｑ＝９になるまで、ステップＳ１２３〜Ｓ１２７の処理を繰り返し実行する。番号２〜９の文字列のスタイルが「ボールド」以外なので、ステップＳ１２３で「ＮＯ」と判断され、ステップＳ１２５のスタイル変更が行われることはない。
【００３４】
変数Ｑの値が最終値の「９」になったことを判断すると（ステップＳ１２６で「ＹＥＳ」）、ステップＳ１２８に移り、現在の変数Ｐの値に「１」をインクリメントして（ステップＳ１２８）、変数Ｐの値が最終値の「９」であるか否かを判断する（ステップＳ１２９）。ここでは、Ｐ＝２であるから最終値ではないと判断し、ステップＳ１２２に戻る。
ステップＳ１２２では、現在のＰの値「２」に「１」をインクリメントした値をＱの値とする。
【００３５】
ステップＳ１２３では、Ｐ＝２、Ｑ＝３の場合についてスタイルの同一性を判断する。
Ｐ＝２、Ｑ＝３の場合には、スタイルが同じで色が異なるから、ステップＳ１２３で「ＹＥＳ」、Ｓ１２４で「ＮＯ」と判断され、番号Ｐ（番号２）の文字列のスタイル変更が行われる。具体的には、現在の情報テーブル１１１に登録されているスタイルとは異なるスタイル、例えばイタリックに変更される。ここでは、情報テーブル１１１の番号欄「２」のスタイル欄が「ノーマル」から「イタリック（斜体）」に書き換えられる。
【００３６】
図７（ｂ）は、当該書き換え後の情報テーブル１１１の内容例を示す図であり、番号２の文字列のスタイルが「イタリック」に書き換えられた様子を示している。
図８に戻り、上記同様に変数Ｑの値を４〜９に順次変えていき、２つの文字列についてスタイルと色の同一性を判断する（ステップＳ１２２〜Ｓ１２７）。
例えば、Ｐ＝２、Ｑ＝４になった場合には、スタイルが異なると判断される（ステップＳ１２３で「ＮＯ」）。同様にＰ＝２、Ｑ＝５〜９の場合も、番号２の文字列のスタイルが既にイタリックに変更されているため、スタイルが異なると判断され、スタイル変更は行われない。
【００３７】
Ｐ＝２、Ｑ＝９になった場合の判断が終了すると（ステップＳ１２６で「ＹＥＳ」）、Ｐの値を３に設定して（ステップＳ１２８）、ステップＳ１２２〜Ｓ１２７の処理を繰り返し実行する。
例えば、Ｐ＝３、Ｑ＝４の場合にはスタイルが異なると判断される。
また、Ｐ＝３、Ｑ＝５の場合には、スタイルが共にノーマルなので、スタイル同一かつ色が異なることになり、ステップＳ１２５において、番号３の文字列のスタイルを、情報テーブル１１１に現に登録されているスタイル（ノーマルとイタリック）とは異なるスタイル、ここではボックスに変更する。具体的には、図７（ｂ）に示すように番号３の文字列のスタイルを「ボックス」に書き換える。このボックスとは、文字の周囲を矩形の線分で取り囲むスタイルをいう（図９の符号１２２の文字列を参照）。これにより、番号２と３の文字列のスタイルが別のスタイルに書き換えられたことになる。
【００３８】
なお、Ｐ＝３、Ｑ＝６〜９の場合には、番号３の文字列のスタイルがボックスに変更されたことにより、スタイルが異なると判断され（ステップＳ１２３で「ＮＯ」）、スタイル変更は行われない。
上記同様に、変数Ｐ、Ｑの値を「９」になるまで順次変えていき、ＰとＱの値に相当する番号の組み合わせごとに、２つの文字列についてスタイルと色の同一性を判断し、スタイル同一かつ色が異なる場合にのみスタイル変更を行う（ステップＳ１２２〜Ｓ１２９）。図３の例の場合、番号２、３の文字列についてだけそのスタイルが変更されることになる。
【００３９】
ステップＳ１２９で、変数Ｑの値が最終値の「９」になったことを判断すると、スタイル変更が終了したとして、データ生成部２６に処理を移管、すなわち処理の実行を指示して（ステップＳ１３０）、処理を終了する。これにより、スタイル毎に異なる色が対応するようにスタイル変更がなされたことになる。
データ生成部２６は、スタイル変更部２５からの実行指示を受け付けると、情報テーブル１１１を参照し、スタイル情報を読み出す。そして、受信済みのプリントデータに含まれるスタイル情報を、読み出したスタイル情報に更新した後に、そのプリントデータを画像データに変換する。
【００４０】
変換された画像データは、データ出力部２７を介して画像形成部１０に送られる。画像形成部１０は、受信した画像データに基づいて書類の画像を記録シート上に印刷する。
図９は、印刷された書類１２０の例を示す図である。
同図に示すように、上から２行目の文字列１２１については、スタイルがイタリックに、３行目の文字列１２２については、ボックスに、５〜９行目の文字列についてはノーマルになっている。すなわち、端末装置２で作成された書類１００（図３）では、２、３、５〜９行目の文字列のスタイルは全てノーマルだったが、印刷された書類１２０では、色別にそのスタイルが相互に異なるものに変えられることになる。
【００４１】
このように文字のスタイルを所定の条件に応じて変えるとしたので、例えば緑、青、黒色を区別し難い色覚障害者が印刷物を見たときであっても、各色の文字列をそのスタイルの違いから区別し易くなり、書類作成者がわざわざ文字の色を異ならせたことの意図がより伝わり易くなって、その識別性を向上できる。
なお、図８に示すスタイル変更に係る処理では、Ｐ番目とＱ番目の文字列についてスタイルが同一かつ色が異なる場合にＰ番目の文字列のみスタイル変更する方法をとったが、これに限られることはない。例えば、文字列のスタイルが相互に異なるように双方の文字列のスタイルを一括して変更する方法をとるとしても良い。
【００４２】
（第２の実施の形態）
上記第１の実施の形態では、文字のスタイルを変更する場合の例を説明したが、本実施の形態では、スタイルとして図形の模様を変更するとしており、この点が異なっている。以下、説明の都合上、第１の実施の形態と同じ内容についてはその説明を省略し、同じ構成要素については、同符号を付すものとする。
【００４３】
図１０（ａ）は、端末装置２で作成された印刷対象としての棒グラフ２００の例を示す図であり、図１０（ｂ）は、印刷後の棒グラフ２１０の例を示す図である。
図１０（ａ）に示すように、棒グラフ２００は、赤色のグラフ部分２０１と、青色のグラフ部分２０２と、黄色のグラフ部分２０３からなる。ここで、２０４は横軸を、２０５は縦軸を示している。なお、Ｘ軸とＹ軸は、棒グラフ２００の座標値を表わすために便宜上記載したものであり、書類に記載されたものではないとする。
【００４４】
端末装置２は、棒グラフ２００（横軸２０４と縦軸２０５を含む）を印刷するためのプリントデータをプリンタ１に送る。このプリントデータには、棒グラフ２００の色が異なる部分２０１〜２０３ごとに、その図形種類、座標、色、模様を示す情報（図１１（ａ）参照）が含まれる。
プリンタ１は、端末装置２からプリントデータを受信すると、第１の実施の形態と同様に、データ解析部２３がプリントデータに含まれる図形種類等の情報を抽出し、抽出した情報を情報テーブルに登録する。
【００４５】
図１１（ａ）は、情報テーブル２２１の内容を示す図である。
同図に示すように、情報テーブル２２１には、番号欄、図形種類欄、座標欄、色欄および模様欄が設けられている。この情報テーブル２２１は、第１の実施の形態における情報テーブル１１１に相当するものである。ここで、番号欄の番号１〜３は、グラフ部分２０１〜２０３の番号に相当する。また、座標欄には、図１０で示すＸ−Ｙ座標軸で表わされる四角の頂点の値が登録される。
【００４６】
データ解析部２３による解析が終了すると、スタイル変更部２５がグラフの模様を変更する処理を行う。具体的には、図８に示すフローの「スタイル」を「模様」に変えて処理が実行される。例えば、変数Ｐ＝１、Ｑ＝２の場合、番号１のグラフ部分２０１の模様「塗りつぶし」と、番号２のグラフ部分２０２の模様「塗りつぶし」が同一と判断し（ステップＳ１２３で「ＹＥＳ」）、さらにグラフ部分２０１の色「赤」とグラフ部分２０２の色「青」が異なると判断して（ステップＳ１２４で「ＮＯ」）、番号１の模様が「塗りつぶし」から「斜線」に変更される。
【００４７】
また、変数Ｐ＝２、Ｑ＝３の場合、同様にグラフ部分２０２と２０３の模様が同一と判断し（ステップＳ１２３で「ＹＥＳ」）、グラフ部分２０２と２０３の色が異なると判断して（ステップＳ１２４で「ＮＯ」）、グラフ部分２０２の模様が「塗りつぶし」から「ドット」に変更される。番号１の模様が「斜線」に変更済みなので、「塗りつぶし」と「斜線」以外の模様に変更される。これにより、各グラフ部分の模様が相互に異なることになるので、グラフ部分２０３については模様が変更されない。
【００４８】
図１１（ｂ）は、模様変更の処理が行われた後の情報テーブル２２１の内容例を示す図である。同図に示すように、番号１、２の模様欄の模様情報がそれぞれ書き換えられていることが判る。なお、模様としては、例えばチェック、ストライプなどを用いても良い。
データ生成部２６は、情報テーブル２１１を参照し、模様情報を読み出す。そして、第１の実施の形態と同様に、プリントデータに含まれる模様情報を、読み出した情報に更新した後、そのプリントデータを画像データに変換して、データ出力部２７を介して画像形成部１０に送る。画像形成部１０は、受信した画像データに基づいてグラフ２００の画像を記録シート上に印刷する。
【００４９】
図１０（ｂ）は、印刷されたグラフ２１０の例を示す図である。
同図に示すように、グラフ２１０は、赤色の部分２０１の模様が「斜線」になり、青色の部分２０２の模様が「ドット」になっており、各部分の模様が相互に異なるものになっている。
このように本実施の形態では、グラフの各部分の模様を変更するとしたので、その模様の違いから各部分を区別し易くなり、文字だけでなく図形についても書類作成者の意図が伝わり易く、もって識別性を向上できる。
【００５０】
なお、上記では図形の例として棒グラフを用いた場合を説明したが、これに限られないことはいうまでもない。円グラフ、イラストなどとすることもできる。また、印刷対象のカラー画像に文字と図形の両方が存在する場合には、文字と図形の領域判定を行い、文字領域について第１の実施の形態におけるスタイル変更等の処理が実行され、図形領域について第２の実施の形態におけるスタイル変更等の処理が実行される。領域判定の方法自体は公知なので、ここでの説明は省略する。
【００５１】
（第３の実施の形態）
上記第２の実施の形態では、模様変更後のグラフだけを印刷するとしたが、本実施の形態では、変更前のグラフも印刷するとしており、この点が異なっている。
図１２は、本実施の形態に係るデータ生成部２６の処理内容を示すフローチャートである。
【００５２】
同図に示すように、スタイル変更前のプリントデータを画像データに変換する（ステップＳ３０１）。スタイル変更前のプリントデータとは、端末装置２から送られて来たプリントデータそのものである。変換後の画像データは、一時的にＲＡＭ（不図示）等に格納される。
そして、スタイル変更が行われたか否かを判断する（ステップＳ３０２）。この判断は、スタイル変更部２５によるスタイル変更（ステップＳ１２５）の実行の有無を判定することにより行われる。
【００５３】
スタイル変更がなされたことを判断すると（ステップＳ３０２で「ＹＥＳ」）、スタイル変更後のプリントデータを画像データに変換する（ステップＳ３０３）。
続いて、１枚の用紙の表面を２等分したときの一方の領域に、スタイル変換前の画像データにより表わされる第１の画像が配置され、他方の領域に、スタイル変換後の画像データにより表わされる第２の画像が配置されるように、画像データの編集を行う（ステップＳ３０４）。この編集としては、例えば第１と第２の画像が半分の大きさに縮小されるように画像データに間引きや縮小等の処理を施すことなどが行われる。
【００５４】
そして、編集後の画像データをデータ出力部に渡す（ステップＳ３０５）。データ出力部２７は、受信した画像データを画像形成部１０に送る。画像形成部１０は当該画像データに基づいて記録シートに画像を印刷する。
図１３は、記録シートに印刷されたグラフの画像を示す図である。
同図は、１枚の記録シート３００を２等分する破線を介して左側（一方）の領域３０１にグラフ２００（スタイル変更前のもの）が印刷され、右側（他方）の領域３０２にグラフ２１０（スタイル変更後のもの）が印刷される、いわゆる２イン１の例を示している。
【００５５】
このようにスタイル変更前と後の画像を１枚の記録シート上に並べて印刷する構成をとることにより、変更前後の画像を一目で対比でき、どの部分が変わったのかを理解し易くなる。また、色覚障害者と健常者の双方が同じ印刷物を利用できるようになり、色覚障害者用と健常者用とで異なる書類を作成し配布するといったことをする必要がなくなる。
なお、ステップＳ３０２で、スタイル変更されなかったことを判断すると、そのままステップＳ３０５に移る。この場合には、スタイル変更されない状態で印刷、すなわちグラフ２００だけが１枚の記録シートに印刷されることになる。
【００５６】
上記ではグラフを印刷する場合の例を説明したが、これに限られないことはいうまでもなく、文字列などの画像の場合でも同様の効果を得られる。
また、２イン１の例を説明したが、１枚の記録シートに印刷される構成であれば良く、例えば表面にスタイル変更前の画像を、裏面にスタイル変更後の画像をそれぞれ印刷、すなわち両面印刷するとしても良い。
【００５７】
さらに、スタイル変更前後の画像を並べるか否かの選択を受け付ける受付手段、例えば操作パネル３０の選択キーや端末装置の選択画面等を設ける構成をとることもできる。ユーザは必要に応じて印刷の形態を選択できる。また、２イン１と両面印刷の選択を受け付ける手段を設けるとしても良い。
（第４の実施の形態）
本実施の形態では、文字とその背景の色が異なる画像を印刷対象とした場合の例を説明する。
【００５８】
図１４（ａ）は、本実施の形態に係る画像４０１〜４０４の例を示す図であり、図１４（ｂ）は、各画像の文字、色、スタイル、背景色の具体例を示している。
両図から、例えば画像４０１は、色が「赤」でスタイルが「ノーマル」の「犬」という文字４０５（第１の画像部分）があり、その背景４０６（第２の画像部分）が「緑」色になっている画像ということが解る。
【００５９】
図１４（ｂ）に示す文字情報等は、プリントデータに含まれ、端末装置２からプリンタ１に送られる。なお、プリントデータには、印刷に必要な他の情報、例えば罫線の情報、文字の位置、背景領域の座標等の情報も含まれる。
プリンタ１のデータ解析部２３は、受信したプリントデータから図１４（ｂ）に示す情報を抽出して情報テーブル１１１に登録する。
【００６０】
スタイル変更部２５は、情報テーブル１１１を参照し、画像４０１等について所定の条件に応じて文字のスタイルを変更する。
図１５は、本実施の形態のスタイル変更部２５が実行する処理の内容を示すフローチャートである。
同図に示すように、本処理は、第１の実施の形態におけるスタイル変更部２５の処理と基本的に同じであるが、ステップＳ１２４とＳ１２５の間にステップＳ４０１、Ｓ４０２が介在している点が異なっている。
【００６１】
すなわち、Ｐ番目とＱ番目の２つの文字についてスタイルが同一で色が異なる場合には（ステップＳ１２４で「ＮＯ」）、Ｐ番目の文字がスタイル変更の対象となるが、ここではさらにＰ番目の文字とその背景の色の組み合わせが、特定の組み合わせと一致しているか否かを判断する（ステップＳ４０１）。この特定の組み合わせとは、色覚障害者にとって、異なる色が接する部分の境界（画像４０１〜４０４の例では、文字の輪郭に相当）を認識し難い色の組み合わせのことである。この組み合わせを示す情報は、予め登録される。ここでは、特定の組み合わせとして赤色と緑色が登録されているとする。
【００６２】
例えば、Ｐ＝１、すなわち画像４０１の場合には、文字が「赤」色で、背景が「緑」色なので、特定の組み合わせと一致していると判断し（ステップＳ４０１で「ＹＥＳ」）、画像４０１の文字の色または／および背景の色を変更する処理を行う（ステップＳ４０２）。具体的には、特定の組み合わせと不一致の組み合わせになるように色が変更される。例えば、文字の色を「黒」色とすることができる。ステップＳ１２５では、黒色に変更された文字のスタイルが変更される。認識できる色に変えた後にスタイル変更を行うので、他の文字と区別し易くなる。
【００６３】
特定の組み合わせと一致していないことを判断すると（ステップＳ４０１で「ＮＯ」）、そのままステップＳ１２５に移る。例えば、Ｐ＝２〜４、すなわち画像４０２〜４０４の場合には、特定の組み合わせと一致していないと判断されることになる。
このように認識し難い色が接している部分を有する画像と判断されると、その色を認識可能な色に変えるとしたので、識別性をより向上することができる。
【００６４】
なお、上記では、相互に接する部分を有する画像として、文字と背景の色が異なる画像を例にしたが、これに限られることはなく、例えば棒グラフ２００の部分２０１と２０２に適用することができる。
（第５の実施の形態）
上記実施の形態では、印刷物を利用するユーザ（利用者）に色覚障害者が含まれることを前提に必ずスタイル変更を行うとしたが、本実施の形態では、印刷物を利用するユーザごとにスタイル変更の実行の要否を決めており、この点が異なっている。
【００６５】
本実施の形態では、図示していないが、複数のメールビンを備える公知の後処理装置、例えばフィニッシャー（不図示）がプリンタ１に装着されており、書類作成者が端末装置２において印刷物の出力先（配布先）をユーザ名で指定すると、プリンタ１が、そのユーザに予め割り当てられたメールビンをフィニッシャーに指定し、フィニッシャーが、プリンタ１から排出された記録シートをその指定されたメールビンに収容させる構成になっているものとする。
【００６６】
図１６は、端末装置２のディスプレイに表示される印刷物配布先指定画面５０１の例を示す図である。
同図に示すように、印刷物配布先指定画面５０１には、候補一覧と配布先を示す欄が設けられている。書類作成者は、候補一覧の中からユーザ名をマウスによりクリックすることで、印刷物の配布先を指定できる。指定されたユーザ名は、配布先欄に表示される。同図は、ユーザＥが配布先として指定された場合の例を示している。
【００６７】
端末装置２は、配布先として指定されたユーザを示す配布先情報を含むプリントデータをプリンタ１に送る。
プリンタ１は、予め登録された、色変更の要否を判断するための色変更要否情報を参照し、配布先として指定されたユーザ毎に色変更の要否を判断する。この色変更要否情報は、操作パネル３０から登録できるようになっている。
【００６８】
図１７は、操作パネル３０に表示される色変更要否情報の登録画面５１０の例を示す図である。同図に示すように、登録画面５１０には、名前欄、変更対象色欄および対象オブジェクト欄が設けられている。名前欄には、配布先のユーザ名が登録されている。変更対象色欄には、色変更の要否および変更が必要な場合の認識し難い色と認識し易い色を示す情報が、対象オブジェクト欄には、認識し難い形状、例えば文字や図形などを示す情報がユーザ毎に登録されている。プリンタ１の管理者等は、この登録画面５１０からユーザ名、変更の要否や対象オブジェクトを追加、編集、削除等を行うことができる。
【００６９】
同図には、例えばユーザＡ〜Ｃ、Ｇは、認識し難い色等が存在しないこと（変更不要に相当）、ユーザＥは、緑色の文字が認識し難く青色が認識し易いこと（変更必要に相当）が示されている。従って、例えばユーザＥが配布先に指定された場合には、緑色の文字画像を印刷する場合に青色への変更が必要と判断される。この判断は、スタイル変更部２５において実行される。
【００７０】
図１８は、本実施の形態におけるスタイル変更部２５の処理の内容例を示すフローチャートである。
同図に示すように、本処理は、第１の実施の形態におけるスタイル変更部２５の処理と基本的に同じであるが、ステップＳ１２１の前にＳ５０１〜Ｓ５０３の処理を実行し、ステップＳ１２９とＳ１３０の間にＳ５０４の処理を実行しており、この点が異なっている。
【００７１】
すなわち、ステップＳ５０１では、プリントデータに含まれる配布先情報を参照し、印刷物の配布先を確認する。図１６の例では、ユーザＥが配布先とされる。
そして、ステップＳ５０２では、印刷画像に変更対象色と一致するものが含まれているか否かを判断する。具体的には、色変更要否情報を参照し、指定されたユーザに対し認識し難い色を読み出す。ユーザＥの場合、緑色ということになる。印刷画像に緑色が含まれている場合には、一致するものがあると判断し、緑色が含まれていない場合には、不一致と判断する。印刷画像の色は、プリントデータに含まれる色情報から判断される。図７や図１１の例の場合、緑色が含まれるので、一致するものがあると判断される。
【００７２】
一致するものがあることを判断すると（ステップＳ５０２で「ＹＥＳ」）、対象オブジェクトが一致するか否かを判断する（ステップＳ５０３）。ユーザＥの場合、対象オブジェクトが文字なので、図７の例では一致し、図１１の例では、不一致と判断される。
一致していると判断すると（ステップＳ５０３で「ＹＥＳ」）、ステップＳ１２１に進み、Ｓ１２９までの処理を実行する。この場合、第１の実施の形態で説明したように例えば番号２の文字列（緑色）については、そのスタイルがノーマルからイタリックに変更されることになる。
【００７３】
ステップＳ５０４では、変更対象の色とオブジェクトが一致する画像について色変更を行う。具体的には、ユーザＥについて、認識し難い色（図１７の例では緑色）を認識し易い色（青色）に変更、より具体的には、図７（ａ）において番号２の文字列の色情報を緑色から青色に書き換える。
プリンタ１は、書類の印刷を行うと共にユーザＥに対応するメールビンをフィニッシャーに指定する。フィニッシャーは、その指定されたメールビンに印刷物を収容する。
【００７４】
印刷物に記載の番号２の文字列は、上記にように青色に変更されているので、ユーザＥにとって認識し易い。また、文字列２、３は同じ色であるが相互にスタイルが異なっているので、区別され易くなっており、書類作成者の意図がより伝わり易くなる。
なお、印刷画像に変更対象色と一致するものが含まれていないことを判断し（ステップＳ５０２で「ＮＯ」）、または対象オブジェクトが一致しないことを判断すると（ステップＳ５０３で「ＮＯ」）、ステップＳ１３０に移る。ユーザＡなど認識し難い色が存在しないユーザであることが判っている場合にまで、スタイル変更等の処理をあえて行う必要がないからである。この場合、書類はスタイル変更されずに印刷されることになる。
【００７５】
（第６の実施の形態）
上記実施の形態では、スタイル変更がどの画像部分について行われたのかについて印刷物を見るユーザには判らなかったが、本実施の形態では、その変更内容を示す情報を印刷物に記載させるようにしており、この点が異なっている。
すなわち、本実施の形態のスタイル変更部２５は、スタイル変更された文字の色とスタイルを情報テーブル１１１から読み出し、文字色とスタイルをメッセージで表わすメッセージ情報を生成してデータ生成部２６に送る。図７（ｂ）の例では、緑色の文字に対しスタイルがイタリック、青色の文字に対しスタイルがボックスである旨を示した情報が生成される。
【００７６】
データ生成部２６は、この情報も記録シートの余白部分に印刷されるように画像データを生成し、データ出力部２７を介して画像形成部１０に送る。
図１９は、記録シートに印刷されたメッセージ情報６０１の例を示す図である。
同図に示すように、メッセージ情報６０１は、イタリックの画像部分が緑色であり、ボックスの画像部分が青色であることを黒色文字で示したものであり、記録シートの余白、ここでは下端の部分に記載されるようになっている。なお、図１１（ｂ）に示すグラフの例では、斜線の画像部分が赤色、ドットの画像部分が青色であることを示す情報になる。
【００７７】
このようにメッセージ情報を追記することにより、仮に青色や緑色を認識し難いユーザであっても、書類作成者がイタリックの部分を緑色、ボックスの部分を青色で作成したことが判り、もって書類作成者の色使用の意図を直接知ることが可能になる。
なお、メッセージ情報は、黒色に限られず、別の色であっても良い。また、記載箇所もシート面上であれば記録シートの下端に限られない。例えば、スタイル変更された文字列の近傍にその色だけを示すメッセージ情報を印刷することも可能である。
【００７８】
本発明は、画像処理装置に限られず、上記スタイル変更の処理方法であるとしてもよい。さらに、その方法をコンピュータが実行するプログラムであるとしてもよい。また、本発明に係るプログラムは、例えば磁気テープ、フレキシブルディスク等の磁気ディスク、ＤＶＤ−ＲＯＭ、ＤＶＤ−ＲＡＭ、ＣＤ−ＲＯＭ、ＣＤ−Ｒ、ＭＯ、ＰＤなどの光記録媒体、フラッシュメモリ系記録媒体等、コンピュータ読み取り可能な各種記録媒体に記録することが可能であり、当該記録媒体の形態で生産、譲渡等がなされる場合もあるし、プログラムの形態でインターネットを含む有線、無線の各種ネットワーク、放送、電気通信回線、衛星通信等を介して伝送、供給される場合もある。
【００７９】
また、本発明に係るプログラムは、上記に説明した処理をコンピュータに実行させるための全てのモジュールを含んでいる必要はなく、例えば通信プログラムやオペレーティングシステム（ＯＳ）に含まれるプログラムなど、別途情報処理装置にインストールすることができる各種汎用的なプログラムを利用して、本発明の各処理をコンピュータに実行させるようにしても良い。従って、上記した本発明の記録媒体に必ずしも上記全てのモジュールを記録している必要はないし、また必ずしも全てのモジュールを伝送する必要もない。さらに所定の処理を専用ハードウェアを利用して実行させるようにすることができる場合もある。
【００８０】
（変形例）
以上、本発明を実施の形態に基づいて説明してきたが、本発明は、上述の実施の形態に限定されないのは勿論であり、以下のような変形例が考えられる。
（１）上記第１の実施の形態では、文字のスタイルにノーマル、イタリック、ボックス、アンダーラインを用いる場合の例を説明したが、人の目で見たときのスタイルが異なるものであれば、これらに限られることはない。例えば、影つきや中抜き文字などを用いる、または拡大するなどとしても良い。
【００８１】
上記では、文字列を行単位で扱うとしたが、例えば文字単位やブロック単位で処理するとしても良い。さらに、どのスタイルに変更するかについてその優先順位を予め決めておいて、その順位に応じて変更を行うとすることもできる。また、ユーザ毎に、変更すべきスタイルを予め決めておき、決められたスタイルに変更するとしても良い。この場合、例えば変更すべきスタイルをユーザが操作パネル等から予め設定、選択できるようにしても良い。また、スタイル変更される文字について、その色を予め決めておいた色に変更、または指定した色に変更する構成をとるとしても良い。
【００８２】
さらに、スタイル変更を禁止すべき文字色を指定できる構成をとることもできる。具体的には、青や赤などの有彩色を認識し難い人が多い場合には、例えば黒色文字のスタイル変更を禁止しても認識し難くなるといったことがなく、各色文字について変更要否を判断する場合に比べてその処理に要する時間を短縮することができる。禁止する文字色の指定は、例えばプリンタ１の操作パネル３０や端末装置２などから行うとすることができる。これらのことは、他の第２の実施の形態等についても同じである。
【００８３】
（２）上記実施の形態では、プリンタ１が端末装置からのプリントデータを受信する場合の例を説明したが、スキャナ（不図示）等の画像読取装置からの読み取りデータを受信して上記のスタイル変更等の処理を行うとしても良い。その場合、読み取りデータに文字色等の情報が含まれている場合には、読み取りデータから文字色等の情報が取得される。
また、当該情報が含まれていない場合には、例えば読み取りデータから文字領域を検出すると共に文字判定用の辞書を用いて文字を判定し、判定された文字からそのスタイルと色を判定する構成をとることも可能である。文字判定の方法等については公知の方法を用いることができるので、ここでは説明を省略する。また、グラフ等の図形についても公知の図形領域の検出等を行うことでグラフ内の色と模様が異なる部分を判定することも可能であろう。さらに、スタイル変更の対象が文字、図形に限られず、例えば表とすることができる。例えば、表の１行目と２行目についてその背景色が異なり、その模様が同じ（塗りつぶしなど）場合にその模様をスタイルとして変更することなどが考えられる。
【００８４】
（３）また、上記では印刷出力するとしたが、出力形態は印刷に限られない。例えば、生成された画像データを各ユーザに予め割り当てられた記憶領域、いわゆるボックスに格納する構成、電子データとして外部の端末装置などに出力、具体的には電子メールの添付ファイルとして送信する構成をとるとしても良い。当該電子メールを受信したユーザが色覚障害者であった場合、添付ファイルを開けてディスプレイ上で見たときに印刷の場合と同様に文字列等を認識し易くなるという効果を得ることができる。
【００８５】
（４）画像処理装置としては、プリンタに限られず、例えば複写機、ＦＡＸ、ＭＦＰ（Multiple Function Peripheral）等に適用できる。
また、上記実施の形態及び上記変形例をそれぞれ組み合わせるとしても良い。
【産業上の利用可能性】
【００８６】
本発明は、カラー画像を処理する画像処理装置において、特に色覚障害者にとってカラー画像の色の異なる部分の識別性を向上させる技術として有用である。
【図面の簡単な説明】
【００８７】
【図１】第１の実施の形態に係るプリンタ１と端末装置２、３とがネットワーク５を介して接続されてなるシステムを示す図である。
【図２】プリンタ１の構成例を示す図である。
【図３】印刷対象の書類１００のレイアウトを示す図である。
【図４】書類１００の各文字列の色、スタイル、大きさを具体的に示した図である。
【図５】プリンタ１が端末装置からプリントデータを受信したときに実行する処理の内容を示すフローチャートである。
【図６】プリンタ１のデータ解析部２３がプリントデータを受け付けたときに実行する処理の内容を示すフローチャートである。
【図７】情報テーブル１１１の内容例を示す図である。
【図８】プリンタ１のスタイル変更部２５が実行する処理の内容を示すフローチャートである。
【図９】印刷された文書１２０の例を示す図である。
【図１０】（ａ）は、第２の実施の形態に係る印刷対象としての棒グラフ２００の例を示す図であり、（ｂ）は、印刷後の棒グラフ２１０の例を示す図である。
【図１１】第２の実施の形態に係る情報テーブル２２１の内容を示す図である。
【図１２】第３の実施の形態に係るデータ生成部２６の処理内容を示すフローチャートである。
【図１３】第３の実施の形態に係る印刷後の棒グラフの例を示す図である。
【図１４】第４の実施の形態に係る印刷対象としての画像４０１〜４０４の例を示す図である。
【図１５】第４の実施の形態に係るスタイル変更部２５が実行する処理の内容を示すフローチャートである。
【図１６】第５の実施の形態に係る端末装置２のディスプレイに表示される印刷物配布先指定画面５０１の例を示す図である。
【図１７】第５の実施の形態に係るプリンタ１の操作パネル３０に表示される色変更要否情報の登録画面５１０の例を示す図である。
【図１８】第５の実施の形態に係るスタイル変更部２５の処理の内容例を示すフローチャートである。
【図１９】第６の実施の形態に係る記録シートに印刷されたメッセージ情報６０１の例を示す図である。
【符号の説明】
【００８８】
１      プリンタ
２０      制御部
２３      データ解析部
２５      スタイル変更部
２６      データ生成部
２７      データ出力部
１００、１２０、２００、２１０、４０１〜４０４      カラー画像
１０１〜１０９、２０１〜２０３、４０５、４０６      画像部分
【図１】
2007226448.tif 000003
【図２】
2007226448.tif 000004
【図３】
2007226448.tif 000005
【図４】
2007226448.tif 000006
【図５】
2007226448.tif 000007
【図６】
2007226448.tif 000008
【図７】
2007226448.tif 000009
【図８】
2007226448.tif 000010
【図９】
2007226448.tif 000011
【図１１】
2007226448.tif 000012
【図１２】
2007226448.tif 000013
【図１４】
2007226448.tif 000014
【図１５】
2007226448.tif 000015
【図１６】
2007226448.tif 000016
【図１７】
2007226448.tif 000017
【図１８】
2007226448.tif 000018
【図１９】
2007226448.tif 000019
【図１０】
2007226448.tif 000020
【図１３】
2007226448.tif 000021